(57)【要約】      （修正有）【課題】角度調節可能な眼鏡用の鼻あてを提供する。【解決手段】眼鏡のフレームに取り付けられる鼻あてにおいて、パッド、パッドホルダー３０、固定軸４０及びホルダー５０と、パッドの底部に底部を横断して形成された凹溝と、パッドホルダー３０の一端に形成され、凹溝と係合させることでパッドを固定するクランプ縁３１と、パッドホルダー３０の他端に形成され固定軸４０が挿通して固定軸を軸として回転自在なクラッド構造３２と、ホルダーの両端に設けられたラグ５１と、ラグ５１の頂端から底部まで形成され、側壁にホール５３を有するとともに、固定軸４０の両端が嵌め込まれるクランプ溝５２と、固定軸の両端に設けられ、ホール５３に係合するエンボスとを有する。【選択図】図２
0003198470.tif 000002
【実用新案登録請求の範囲】
【請求項１】
眼鏡のフレームに取り付けられる鼻あてにおいて、
パッド（２０）、パッドホルダー（３０）、固定軸（４０）及びホルダー（５０）と、
前記パッド（２０）の底部に前記底部を横断して形成された凹溝と、
前記パッドホルダー（３０）の一端に形成され、前記凹溝と係合させることでパッド（２０）を固定するクランプ縁（３１）と、
前記パッドホルダー（３０）の他端に形成され固定軸（４０）が挿通して固定軸を軸として回転自在なクラッド構造（３２）と、
前記ホルダーの両端に設けられたラグ（５１）と、
ラグ（５１）の頂端から底部まで形成され、側壁にホール（５３）を有するとともに、固定軸（４０）の両端が嵌め込まれるクランプ溝（５２）と、
前記固定軸の両端に設けられ、ホール（５３）に係合するエンボス（４２）とを有すること、
を特徴とする角度調節可能な鼻あて。
【請求項２】
前記クラッド構造（３２）は中空の円柱体で、前記固定軸（４０）の断面は角形であることを特徴とする請求項１に記載の角度調節可能な鼻あて。
【請求項３】
前記クラッド構造（３２）の側壁にクランプ口（３２１）が形成され、前記固定軸（４０）の外壁には制限ラグ（４１）が対応して形成され、前記制限ラグ（４１）がクランプ口（３２１）内に位置し、クラッド構造の回転角度を制限することを特徴とする請求項１又は２に記載の角度調節可能な鼻あて。
【請求項４】
前記クラッド構造（３２）の内周壁には複数条のスプラインが固定軸（４０）の軸方向へ延伸して形成され、前記固定軸（４０）の外周には前記スプラインに係合する複数条の突出バーが形成されていることを特徴とする請求項１〜３のいずれかに記載の角度調節可能な鼻あて。
【請求項５】
眼鏡フレームと眼鏡レンズと請求項１〜４のいずれかに記載の角度調節可能な鼻あてとを有し、前記眼鏡フレームには二つの固定バー（６０）が設けられているとともに前記ホルダー（５０）の底部には固定バー（６０）と係合する取り付け溝（５４）が形成され、前記固定バー（６０）に取り付け溝（５４）を係合させることで鼻あてを前記眼鏡フレームに取り付けることを特徴とする角度調節可能な鼻あてを備えた眼鏡。
【考案の詳細な説明】
【技術分野】
【０００１】
本考案は、眼鏡の鼻あてに関し、角度調節可能な鼻あて及びこの鼻あてを備えた眼鏡に関する。
【背景技術】
【０００２】
眼鏡は人々の生活に重要な役割を果たし、視力保護や近視防止の道具である。鼻あては眼鏡フレームを鼻梁にかけることに使う支え構造で、一般には一体固定式と、フレーム及びねじ組立式との二種類に分けて、よく存在する不足は以下のように：鼻あての位置は固定で、鼻あてのパッドと、眼鏡フレームとの間の距離を調節できなく、違った使用者は同じサイズの眼鏡をかけると、鼻翼の高さが違うので、パッドの支えはしっかりしなく、または支えた鼻翼の位置は適切ではないような問題を起こす。使用者は専門の組織に行き、鼻あてを加熱し、鼻あてを柔らかさせてから、鼻あての位置を調整し、使用者は自分で調整することをできなく、使用するのは十分不便利である。また、鼻あてと、眼鏡フレームとは同じ材料を採用し、固く、かつ身に飾ることは快適ではない。
鼻あての位置を調整可能にした先行文献としては特許文献１〜４などが知られている。
【先行技術文献】
【特許文献】
【０００３】
【特許文献１】特開２００１−２４２４２５号公報
【特許文献２】特開２００８−２９２９１７号公報
【特許文献３】特開２０００−１１１８４５号公報
【特許文献４】実用新案登録第２５９５７６６号公報
【考案の開示】
【考案が解決しようとする課題】
【０００４】
本考案は、従来技術の課題を解決し、角度調節可能な鼻あて及びこの鼻あてを備えた眼鏡を提供する。
【課題を解決するための手段】
【０００５】
本考案は上記の課題を解決するためになされたもので、請求項１に記載の考案は、眼鏡のフレームに取り付けられる鼻あてにおいて、パッド（２０）、パッドホルダー（３０）、固定軸（４０）及びホルダー（５０）と、前記パッド（２０）の底部に前記底部を横断して形成された凹溝と、前記パッドホルダー（３０）の一端に形成され、前記凹溝と係合させることでパッド（２０）を固定するクランプ縁（３１）と、前記パッドホルダー（３０）の他端に形成され固定軸（４０）が挿通して固定軸を軸として回転自在なクラッド構造（３２）と、前記ホルダーの両端に設けられたラグ（５１）と、ラグ（５１）の頂端から底部まで形成され、側壁にホール（５３）を有するとともに、固定軸（４０）の両端が嵌め込まれるクランプ溝（５２）と、前記固定軸の両端に設けられ、ホール（５３）に係合するエンボス（４２）とを有する構成としてある。
請求項２に記載するように、前記クラッド構造（３２）は中空の円柱体で、前記固定軸（４０）の断面は角形としてもよい。
請求項３に記載の考案は、前記クラッド構造（３２）の側壁にクランプ口（３２１）が形成され、前記固定軸（４０）の外壁には制限ラグ（４１）が対応して形成され、前記制限ラグ（４１）がクランプ口（３２１）内に位置し、クラッド構造の回転角度を制限する構成としてある。
請求項４に記載の考案は、前記クラッド構造（３２）の内周壁には複数条のスプラインが固定軸（４０）の軸方向へ延伸して形成され、前記固定軸（４０）の外周には前記スプラインに係合する複数条の突出バーが形成されている構成としてある。
本考案の眼鏡は、請求項５に記載するように、眼鏡フレームと眼鏡レンズと上記の角度調節可能な鼻あてとを有し、前記眼鏡フレームには二つの固定バー（６０）が設けられているとともに前記ホルダー（５０）の底部には固定バー（６０）と係合する取り付け溝（５４）が形成され、前記固定バー（６０）に取り付け溝（５４）を係合させることで鼻あてを前記眼鏡フレームに取り付ける構成としてある。
【０００６】
以上に述べたように、従来技術と比べると、本考案は以下の特徴がある。
１、本考案の鼻あてとして、パッドと、パッドホルダーと、固定軸と、ホルダーとを分解可能な方式で組立し、違った使用者および人種によって、違った色および材料を選択し、身に飾ることはもっと快適で、おしゃれで、取り換えることや取り外すことは便利で、違った使用者を満足させる。
２、本考案の眼鏡は組立式の鼻あてを採用し、二つのパッドの間の距離や角度を手動で自由に調整でき、取り外すことは簡単で、使用することは便利である
【考案を実施するための最良の形態】
【０００７】
以下に本考案の好適な実施形態を詳細に説明する。
図1、図２に示すように、一種類の角度調節可能な鼻あてを眼鏡フレーム１０と固定し、前記鼻あてにはパッド２０と、パッドホルダー３０と、固定軸４０と、ホルダー５０とがある。前記パッド２０の底端には凹溝が横断して形成される。前記パッドホルダー３０の一端の両側にはクランプ縁３１が設置され、前記凹溝に挿入し、パッド２０と固定接続することに使い、前記パッドホルダー３０のもう一端にはクラッド構造３２が設置され、固定軸４０の両端を通過することに使い、前記クラッド構造３２が固定軸４０を中心に回転できるように設置され、図３ないし図５に示すように。図６には、前記ホルダー５０の両端には別々に一つのラグ５１が設置され、二つのラグ５１の相対側の頂端にはクランプ溝５２がラグ５１の底部へ延伸して開設され、前記クランプ溝５２の両側壁には別々に一つのホール５３が設置される。ホール５３と対応するために、前記固定軸４０の両端にはエンボス４２が設置され、前記固定軸４０の両端をクランプ溝５２内に挿入でき、エンボス４２を対応のホール５３内に正確にクランプし、固定軸４０を固定することを実現できる。
【０００８】
具体的に、本考案のクラッド構造３２は中空の円柱体で、固定軸４０の断面は角形である。クラッド構造３２の回転活動に便利を図るために、クラッド構造３２の側壁に開け口が固定軸４０の軸方向へ延伸して開設される（図示せず）。
【０００９】
そのほかに、クラッド構造３２の回転角度を制限するために、クラッド構造３２の側壁にはクランプ口３２１が開設され、固定軸４０の外壁には制限ラグ４１が対応して設置され、固定軸４０をクラッド構造３２の貫通孔に挿入して取り付けたときに、前記制限ラグ４１がクランプ口内３２１に位置する。
【００１０】
本考案では、クラッド構造３２の内壁にはいくつかの細溝３２２が固定軸４０の軸方向へ延伸して設置され、固定軸４０の外周には一つの突出バー４３が対応して設置され、クラッド構造３２を回転させるときに摩擦力を与えて、シフトフィーリングを良好にする。
【００１１】
図７ないし図９に示すように、本考案では、一種類の角度調節可能な鼻あての備える眼鏡を提供し、その中には、眼鏡フレーム１０と、眼鏡レンズと、二つの本考案の一種類の角度調節可能な鼻あてとがあり、前記眼鏡フレーム１０の鼻梁の位置には二つの固定バー６０が対応して設置され、前記固定バー６０の断面は台形で、上が大きく、下は小さく、鼻あてのホルダー５０の底部には取り付け溝５４がその両端を貫通して設置され、固定バー６０と合わせることに使う。
【００１２】
本考案の鼻あてを取り付ける時、まず固定軸４０をパッドホルダー３０のクラッド構造３２に挿入し、パッドホルダー３０端部のクランプ縁３１を前記凹溝に挿入し、パッド２０を固定することを実現できる。そして、固定軸４０の固定されたクラッド構造３２をホルダー５０のクランプ溝５２にあわせて挿入し、固定軸４０両端のエンボス４２を対応のホール５３内に正確にクランプし、固定軸４０を固定することを実現でき、すなわち、鼻あてを組立する。二つの鼻あてのホルダー５０底部の取り付け溝５４を別々に眼鏡フレーム１０の二つの固定バー６１を沿って滑り込み、固定し、そして、鼻あてを眼鏡フレーム１０に固定させ、組立を完成する。
【００１３】
そのほかに、本考案のパッド２０として、違った使用者によって違った色および材料を選択し、身に飾ることにさらに快適で、パッド２０の取り換えや取り外すことに便利で、二つのパッド２０の間の距離や角度を手動で調整でき、便利である。
【００１４】
以上のように、本考案のデザインアイディアは上記の説明に限定されるものではなく，当業者が，本考案のアイディアと範囲に基づいて色々変形させることは可能であり，それらは本考案の請求項の保護範囲から排除するものではない。
【図面の簡単な説明】
【００１５】
【図１】本考案の鼻あての全体説明図を示す。
【図２】本考案の鼻あての分解説明図を示す。
【図３】本考案のパッドホルダーと、固定軸との組立説明図を示す。
【図４】図３の側面図を示す。
【図５】固定軸の説明図を示す。
【図６】ホルダーの第一説明図を示す。
【図７】ホルダーの第二説明図を示す。
【図８】本考案の眼鏡の組立説明図を示す。
【図９】図８のA部分の拡大図を示す。
【符号の説明】
【００１６】
２０          パッド
３０          パッドホルダー
３１          クランプ縁
３２          クラッド構造
３２１        クランプ口
４０          固定軸
４１          制限ラグ
５０          ホルダー
５１          ラグ
５２          クランプ溝
５３          ホール
５４          取り付け溝
６０          固定バー
【図１】
0003198470.tif 000003
【図２】
0003198470.tif 000004
【図３】
0003198470.tif 000005
【図４】
0003198470.tif 000006
【図５】
0003198470.tif 000007
【図６】
0003198470.tif 000008
【図７】
0003198470.tif 000009
【図８】
0003198470.tif 000010
【図９】
0003198470.tif 000011